【手続補正書】
【提出日】平成22年5月12日(2010.5.12)
【手続補正１】
【補正対象書類名】特許請求の範囲
【補正対象項目名】全文
【補正方法】変更
【補正の内容】
【特許請求の範囲】
【請求項１】
周波数帯域において一時的に利用可能なチャネルを検出する方法において、
（ａ）前記周波数帯域内の複数のチャネルの中からチャネルを選択するステップと、
（ｂ）前記選択されたチャネルにおいて受信されたエネルギを測定するステップと、
（ｃ）前記選択されたチャネルにおいて受信された前記測定されたエネルギを前記選択されたチャネルに対して確立された閾値と比較するステップと、
（ｄ）前記選択されたチャネルにおいて受信された前記測定されたエネルギが前記選択されたチャネルに対して確立された前記閾値を超過する場合に前記選択されたチャネルが伝送に対して利用不可能であると決定し、そうでない場合に前記選択されたチャネルが伝送に対して利用可能であると決定するステップと、
（ｅ）前記周波数帯域内の複数のチャネルの各々に対して前記ステップ（ａ）ないし（ｄ）を繰り返すステップと、
（ｆ）前記ステップ（ｄ）において利用不可能であると決定されたチャネルの１つを選択するステップと、
（ｇ）前記選択された利用不可能なチャネルにおいて受信された信号を特定の伝送フォーマットに準拠する信号の既知のフィーチャと相関を取るステップと、
（ｈ）前記相関結果を第２の閾値と比較するステップと、
（ｉ）前記選択された利用不可能なチャネルにおける前記相関結果が前記第２の閾値を超過する場合に前記特定の伝送フォーマットに準拠する信号が前記選択された利用不可能なチャネルに存在すると決定し、そうでない場合に前記特定の伝送フォーマットに準拠する信号が前記選択された利用不可能なチャネルに存在しないと決定するステップと、
（ｊ）前記ステップ（ｄ）において利用不可能であると決定された各チャネルに対して前記ステップ（ｆ）ないし（ｉ）を繰り返すステップと、
を有する方法。
【請求項２】
前記第１の閾値が、入力信号の不在時の前記選択されたチャネルにおける予測される入力雑音エネルギにより乗算される定数である、請求項１に記載の方法。
【請求項３】
前記入力信号の不在時の前記選択されたチャネルにおける予測される入力雑音エネルギが、信号が存在しないことが既知であるチャネルに同調することにより決定される、請求項２に記載の方法。
【請求項４】
前記定数が、失敗した検出の所望の確率、誤警報の所望の確率、及び検出の所望の確率を達成するように選択される、請求項２に記載の方法。
【請求項５】
前記選択されたチャネルにおいて受信されたエネルギを測定するステップが、選択された間隔にわたり前記受信されたエネルギを平均化するステップを有する、請求項１に記載の方法。
【請求項６】
前記選択されたチャネルにおいて受信されたエネルギを測定するステップが、
前記選択されたチャネルにおいて受信された信号をデジタル化するステップと、
前記信号をベースバンドにダウンコンバートするステップと、
前記信号に平方根二乗余弦フィルタを通過させるステップと、
前記平方根二乗余弦フィルタからの信号出力を二乗するステップと、
を有する、請求項１に記載の方法。
【請求項７】
前記特定の伝送フォーマットが、８−ＶＳＢ伝送フォーマット及びデジタルビデオ放送−地上波（ＤＶＢ−Ｔ）伝送フォーマットの一方である、請求項１に記載の方法。
【請求項８】
前記特定の伝送フォーマットに準拠する信号の既知のフィーチャが、ＰＮ５１１疑似乱数シーケンス及び直行周波数分割多重（ＯＦＤＭ）信号のサイクリックプレフィックスの一方である、請求項７に記載の方法。
【請求項９】
前記ステップ（ｅ）が、前記ステップ（ｆ）ないし（ｊ）の前に実行される、請求項１に記載の方法。
【請求項１０】
前記ステップ（ｅ）が、前記ステップ（ｆ）ないし（ｉ）の後に実行される、請求項１に記載の方法。
【請求項１１】
第２の特定の伝送フォーマットに対して前記ステップ（ｆ）ないし（ｊ）を繰り返すステップを更に有する、請求項１に記載の方法。
【請求項１２】
周波数帯域において一時的に利用可能な帯域幅を検出するシステムにおいて、
前記周波数帯域内のスペクトル部分を選択する受信器フロントエンドと、
前記選択されたスペクトル部分に存在するエネルギを測定するエネルギ検出器と、
前記選択されたスペクトル部分における前記測定されたエネルギを前記選択されたスペクトル部分に対して確立された閾値と比較する第１の比較器と、
前記選択されたスペクトル部分において受信された信号を特定の伝送フォーマットに準拠する信号の既知のフィーチャと相関を取る相関器と、
前記相関結果を第２の閾値と比較する第２の比較器と、
を有するシステム。
【請求項１３】
前記受信器フロントエンドが、
前記選択されたチャネルに同調するＲＦチューナと、
前記選択されたチャネルに対する前記ＲＦチューナの出力をデジタル化するアナログデジタルコンバータ（ＡＤＣ）と、
前記デジタル化されたチューナ出力をベースバンドにダウンコンバートするダウンコンバータと、
前記デジタル化されたベースバンド信号をフィルタリングする帯域制限フィルタと、
を有する、請求項１２に記載のシステム。
【請求項１４】
前記選択されたスペクトル部分に対して確立された前記閾値が、入力信号の不在時の前記選択されたスペクトル部分における予測される入力雑音エネルギにより乗算される定数である、請求項１２に記載のシステム。
【請求項１５】
前記エネルギ検出器が、選択されたサンプル数にわたり前記受信されたエネルギを平均化することにより前記選択されたスペクトル部分において受信されたエネルギを測定する、請求項１２に記載のシステム。
【請求項１６】
前記相関器が、前記選択されたスペクトル部分において受信された信号を、８−ＶＳＢ伝送フォーマットに準拠する信号のＰＮ５１１疑似乱数シーケンス及び直交周波数分割多重（ＯＦＤＭ）信号のサイクリックプレフィックスの少なくとも一方と相関を取る、請求項１２に記載のシステム。
【請求項１７】
周波数帯域において一時的に利用可能な帯域幅を検出する方法において、
（ａ）前記周波数帯域内のスペクトル部分を選択するステップと、
（ｂ）前記選択されたスペクトル部分において受信されたエネルギを測定するステップと、
（ｃ）前記選択されたスペクトル部分において受信された前記測定されたエネルギを前記選択されたスペクトル部分に対して確立された閾値と比較するステップと、
（ｄ）前記選択されたスペクトル部分において受信された前記測定されたエネルギが前記選択されたスペクトル部分に対して確立された前記閾値を超過する場合に前記選択されたスペクトル部分が伝送に対して利用不可能であると決定し、そうでない場合に前記選択されたスペクトル部分が伝送に対して利用可能であると決定するステップと、
（ｅ）前記選択されたスペクトル部分において受信された信号を特定の伝送フォーマットに準拠する信号の既知のフィーチャと相関を取るステップと、
（ｆ）前記相関結果を第２の閾値と比較するステップと、
（ｇ）前記選択されたスペクトル部分における前記相関結果が前記第２の閾値を超過する場合に前記特定の伝送フォーマットに準拠する信号が前記選択されたスペクトル部分に存在すると決定し、そうでない場合に前記特定の伝送フォーマットに準拠する信号が前記選択されたスペクトル部分に存在しないと決定するステップと、
（ｈ）前記周波数帯域にわたる複数のスペクトル部分の各々に対して前記ステップ（ａ）ないし（ｇ）を繰り返すステップと、
を有する方法。
【請求項１８】
前記選択されたスペクトル部分に対して確立された前記閾値が、入力信号の不在時の前記選択されたスペクトル部分における予測される入力雑音エネルギにより乗算される定数である、請求項１７に記載の方法。
【請求項１９】
前記特定の伝送フォーマットに準拠する信号の既知のフィーチャが、ＰＨＮ５１１疑似乱数シーケンス及び直交周波数分割多重（ＯＦＤＭ）信号のサイクリックプレフィックスの一方である、請求項１７に記載の方法。
【請求項２０】
第２の特定の伝送フォーマットに対して前記ステップ（ｅ）ないし（ｈ）を繰り返すステップを更に有する、請求項１７に記載の方法。